(57)【要約】【課題】端面をワンタッチで開封できる機能を有しながら、密封性が高く、強度的にも十分な紙カートンを提供すること。【解決手段】底面パネル１２には、底面側端面パネル１６との境界線上の離間した２点を結ぶ押切用切れ目線１２ａにより底面側端面パネル１２に隣接する押込部分２０が区画され、底面側端面パネル１２には、前記２点からそれぞれ側方の端縁にまで延びる２本の切開用切れ目線により破断部分２０が区画され、各端面フラップ１７，１９には、底面側端面パネル１６の切開用切れ目線と近接する分離用切れ目線が形成されており、底面側端面パネル１６は左右の端面フラップ１７，１９と貼り合わせられ、上面側端面パネル１４は底面側端面パネル１６と貼り合わせられている。押込部分２０を指で押し破ってそのまま押し開くと、上面側端面パネル１４は分離した破断部分２０及び端面フラップ１７，１９と一体となって開けられる。【選択図】図３
2010052759.tif 000002
【特許請求の範囲】
【請求項１】
両方の端面が、側面パネルに連設する両サイドの端面フラップを折り込んでから、底面パネルに連設する底面側端面パネルと上面パネルに連設する上面側端面パネルとをこの順で折り曲げて貼着することでそれぞれ閉じられる直方体形状の紙カートンであって、底面パネルには、底面側端面パネルとの境界線上の離間した２点を結ぶ押切用切れ目線により底面側端面パネルに隣接する押込部分が区画され、底面側端面パネルには、前記２点からそれぞれ側方の端縁にまで延びる２本の切開用切れ目線により破断部分が区画され、各端面フラップには、底面側端面パネルの切開用切れ目線と近接する分離用切れ目線が形成されており、底面側端面パネルは左右の端面フラップと貼り合わせられ、上面側端面パネルは底面側端面パネルと貼り合わせられていることを特徴とする紙カートン。
【請求項２】
端面フラップと側面パネルとの境界線のうちで分離用切れ目線との交点から上面パネルに至るところに切離し可能なミシン目が形成されていることを特徴とする請求項１に記載の紙カートン。
【発明の詳細な説明】
【技術分野】
【０００１】
本発明は、板紙からなる紙カートンの技術分野に属し、特に、バターやマーガリンなどの重量物を収納して販売するために好適に用いられる直方体形状の紙カートンに関するものである。
【背景技術】
【０００２】
従来より、バターやマーガリンなどは、プラスチック成形品からなる蓋付き容器に入れた後、この容器をそのまま紙カートンに入れた状態で店頭販売されている。そして、購入後は紙カートンを開封し、中の蓋付き容器を取り出して使用するようになっている。このような紙カートンとして、例えば特許文献１に記載のものが知られている。
【０００３】
特許文献１に記載の紙カートンは、サック貼りしたブランクを角筒状に起こした後、左右一対の端面フラップを折り込んでから、底面パネルに連設する底面側端面パネルと上面パネルに連設する上面側端面パネルとをこの順で折り曲げて貼着することで一方の端面を閉じ、この状態で内容物を投入した後、同様にしてもう一方の端面を閉じることで組み立てられる。
【０００４】
この紙カートンの底面パネルには、底面側端面パネルとの境界線上の離間した２点を結ぶ押切用切れ目線により底面側端面パネルに隣接する押込部分が形成され、底面側端面パネルには、前記２点からそれぞれ側方の端縁まで延びる２本の切開用切れ目線により破断部分が形成されており、上面側端面パネルは底面側端面パネルの破断部分と貼り合わせられている。
【０００５】
そして、このように組み立てられた紙カートンは、底面パネルにある押込部分を指で押し破ってそのまま押し開くことで、底面側端面パネルの破断部分が切開用切れ目線に沿って破断され、上面側端面パネルは分離した破断部分と一体となって開けられることでカートンの端面が開口するようになっている。
【０００６】
【特許文献１】特開２００３−２３１５１８号公報
【発明の開示】
【発明が解決しようとする課題】
【０００７】
上記した特許文献１に記載の紙カートンは、底面パネルの押込部分を指で押し破ってワンタッチで開封するように、上面側端面パネルが底面側端面パネルの破断部分の外側に貼り合わせられている。そして、底面側端面パネルの破断部分は端面フラップと貼着されておらず、端面フラップから浮いているため、隙間からほこりが侵入しやすく、強度的にも弱い状態になっている。底面側端面パネルの高さ方向の長さを短くして、上面側端面パネルを左右一対の端面フラップにも貼り合わせるようにしてもよいが、底面側端面パネルと端面フラップとの間には隙間が残るので、やはり密封性が悪く、強度も十分ではないという問題がある。
【０００８】
本発明は、このような問題点に鑑みてなされたものであり、その目的とするところは、端面をワンタッチで開封できる機能を有しながら、密封性が高く、強度的にも十分な紙カートンを提供することにある。
【課題を解決するための手段】
【０００９】
請求項１に記載の紙カートンは、両方の端面が、側面パネルに連設する両サイドの端面フラップを折り込んでから、底面パネルに連設する底面側端面パネルと上面パネルに連設する上面側端面パネルとをこの順で折り曲げて貼着することでそれぞれ閉じられる直方体形状の紙カートンであって、底面パネルには、底面側端面パネルとの境界線上の離間した２点を結ぶ押切用切れ目線により底面側端面パネルに隣接する押込部分が区画され、底面側端面パネルには、前記２点からそれぞれ側方の端縁にまで延びる２本の切開用切れ目線により破断部分が区画され、各端面フラップには、底面側端面パネルの切開用切れ目線と近接する分離用切れ目線が形成されており、底面側端面パネルは左右の端面フラップと貼り合わせられ、上面側端面パネルは底面側端面パネルと貼り合わせられていることを特徴としている。
【００１０】
請求項２に記載の発明である紙カートンは、請求項１に記載の紙カートンにおいて、端面フラップと側面パネルとの境界線のうちで分離用切れ目線との交点から上面パネルに至るところに切離し可能なミシン目が形成されていることを特徴としている。
【発明の効果】
【００１１】
請求項１に記載の発明である紙カートンは、閉鎖部である両方の端面において、底面側端面パネルが左右の端面フラップと貼り合わせられ、上面側端面パネルが底面側端面パネルと貼り合わせられているので、密封性が高く、ほこりの侵入が防止され、しかも強度的に強いものになっている。そして、底面パネルにある押込部分を指で押し破ってそのまま押し開くことで、底面側端面パネルの破断部分が切開用切れ目線に沿って破断され、さらに左右の端面フラップは分離用切れ目線のところが破断され、上面側端面パネルは分離した破断部分及び端面フラップと一体となって開けられることでカートンの端面が開口する。したがって、ワンタッチで開封できる機能を有しながら、密封性が高く強度的にも十分なものとなる。
【００１２】
請求項２に記載の発明である紙カートンは、端面フラップと側面パネルとの境界線のうちで分離用切れ目線との交点から上面パネルに至るところに切離し可能なミシン目が形成されていることにより、端面フラップの側面フラップからの分離がしやすくなることから、端面の開封操作をスムーズに行える。
【発明を実施するための最良の形態】
【００１３】
次に、本発明の実施の形態について図面を参照しながら詳細に説明する。
【００１４】
図１は本発明に係る紙カートンの一例を裏返し状態で示す斜視図、図２は図１の紙カートンを形成するブランクの平面図である。
【００１５】
図１の紙カートンＡはマーガリンの入ったプラスチック容器を収納するためのもので、外観は直方体形状であり、図２に示すブランクＢを組み立てて作製される。
【００１６】
ブランクＢは、紙カートン用の板紙を打ち抜いて形成したもので、図示のように、折線ａ，ｂ，ｃ，ｄを介して糊代フラップ１１，底面パネル１２、側面パネル１３、上面パネル１４、側面パネル１５が順次連設されている。底面パネル１２の左右辺にはそれぞれ折線ｅ，ｆを介して底面側端面パネル１６が連設され、側面パネル１３の左右辺にはそれぞれ折線ｇ，ｈを介して端面フラップ１７が連設され、上面パネル１４の左右辺にはそれぞれ折線ｉ，ｊを介して上面側端面パネル１８が連設され、側面パネル１５の左右辺にはそれぞれ折線ｋ，ｌを介して端面フラップ１９が連設されており、上面側端面パネル１８は紙カートンＡの端面を覆うサイズで、底面側端面パネル１６は上面側端面パネル１８よりも僅かに短いサイズになっている。
【００１７】
底面パネル１２には、折線ｅ上の離間した２点を結ぶ円弧状の押切用切れ目線１２ａが左側に設けられ、折線ｆ上の離間した２点を結ぶ円弧状の押切用切れ目線１２ａが右側に設けられており、これにより底面パネル１２はその左右にそれぞれ押込部分２０が区画されたものになっている。また、各底面側端面パネル１６には、前記２点からそれぞれ側方の端縁まで外側に広がる状態で延びる斜め方向の切開用切れ目線１６ａが設けられており、これにより底面側端面パネル１６はそれぞれその中央部に破断部分２１が区画されたものになってなる。この底面側端面パネル１６の切開用切れ目線１６ａは、図示のように先の曲がった切れ目を連続させることで形成されている。
【００１８】
各端面フラップ１７には、ブランクＢを組み立てたときに底面側端面パネル１６の切開用切れ目線１６ａと近接する状態で斜め方向の分離用切れ目線１７ａが形成されており、各端面フラップ１７と側面フラップ１３との境界線である折線ｇ，ｈには、分離用切れ目線１７ａとの交点から上面パネル１４に至るところに切離し可能なミシン目αが形成されている。また、各端面フラップ１９には、ブランクＢを組み立てたときに底面側端面パネル１６の切開用切れ目線１６ａと近接する状態で斜め方向の分離用切れ目線１９ａが形成されており、各端面フラップ１９と側面フラップ１５との境界線である折線ｋ，ｌには、分離用切れ目線１９ａとの交点から上面パネル１４に至るところに切離し可能なミシン目αが形成されている。この端面フラップ１７，１９の分離用切れ目線１７ａ，１９ａは、図示のように先の曲がった切れ目を連続させることで形成されている。
【００１９】
このブランクＢは、糊代フラップ１１の表側を側面パネル１５の先端部裏側に貼り合わせたサック貼り状態で折り畳まれる。そして、このサック貼り状態のブランクＢから紙カートンＡを組み立てるには、まず、折り畳んだブランクＢを角筒状に起こした後、一方の端面側で、端面フラップ１７，１９をそれぞれ内側に折り込んでから、底面側端面パネル１６と上面側端面パネル１８をこの順で折り曲げて貼着する。この時、端面フラップ１７，１９に対して図２の糊塗布領域１７Ａ，１９Ａのところに糊付けして底面側端面パネル１６を重ねて貼り合わせた後、底面側端面パネル１６の左右の糊塗布領域１６Ａのところに糊付けして上面側端面パネル１８を重ねて貼り合わせる。具体的には、充填機においてサック貼り状態のものを起こし、糊塗布領域１６Ａ，１７Ａ，１９Ａにホットメルトを吹き付けて貼着する。次いで、他方の端面側から内容物を投入してから、その投入した側の端面も同様に閉じる。このようにして図１に示す内容物が入った紙カートンＡが作製される。
【００２０】
このようにして作製された紙カートンＡは、底面パネル１２には、底面側端面パネル１６との境界線上の離間した２点を結ぶ押切用切れ目線１２ａにより底面側端面パネル１６に隣接する押込部分２０が区画され、底面側端面パネル１６には、前記２点からそれぞれ側方の端縁にまで延びる２本の切開用切れ目線１６ａにより破断部分２１が区画されたものになる。また、端面フラップ１７と側面パネル１３との境界線のうちで分離用切れ目線１７ａとの交点から上面パネル１４に至るところに切離し可能なミシン目αが形成され、端面フラップ１９と側面パネル１５との境界線のうちで分離用切れ目線１９ａとの交点から上面パネル１４に至るところに切離し可能なミシン目αが形成された状態になる。
【００２１】
この紙カートンＡから中身を取り出すに際しては、底面パネル１２における一方の押込部分２０を指で押し破り、そのまま押込み部分２０と上面側端面パネル１８とを指先で挟んで摘むようにして押し開くことで、図３に示すようにカートンの端面を開口する。このとき、端面フラップ１７，１９、底面側端面パネル１６及び上面側端面パネル１８の３者は互いに貼着しているので、底面側端面パネル１２の破断部分２１が切開用切れ目線１６ａに沿って破断され、さらに左右の端面フラップ１７，１９は分離用切れ目線１７ａ，１９ａのところが破断され、上面側端面パネル１４は分離した破断部分２１及び端面フラップ１７，１９と一体となって開けられることでカートンの端面が開口する。
【００２２】
そして、端面フラップ１７と側面パネル１３との境界線のうちで分離用切れ目線１７ａとの交点から上面パネル１４に至るところに切離し可能なミシン目αが形成され、端面フラップ１９と側面パネル１５との境界線のうちで分離用切れ目線１９ａとの交点から上面パネル１４に至るところに切離し可能なミシン目αが形成されていることにより、端面フラップ１７の側面フラップ１３からの分離と端面フラップ１９の側面フラップ１５からの分離とがしやすくなることから、端面の開封操作をスムーズに行える。
【００２３】
なお、上記の紙カートンＡでは、端面フラップ１７，１９とそれらが連設する側面パネル１３，１５との境界線に切離し可能なミシン目αを形成しておき、これによって端面の開封操作時に端面フラップ１７，１９の切離しが容易になるようにしたが、開封時の勢いで端面フラップ１７，１９を境界線に沿って破ることが可能なので、この境界線上のミシン目αは特に設けなくても構わない。コーナーとなる部分にこのようなミシン目を設けない方が積み重ね時の強度が上がるという利点もあるので、必要に応じて適宜設けるようにすればよい。
【００２４】
以上、本発明の実施の形態について詳細に説明してきたが、本発明による紙カートンは、上記実施の形態に何ら限定されるものではなく、本発明の趣旨を逸脱しない範囲において種々の変更が可能であることは当然のことである。
【図面の簡単な説明】
【００２５】
【図１】本発明に係る紙カートンの一例を裏返し状態で示す斜視図である。
【図２】図１の紙カートンを形成するブランクの平面図である。
【図３】図１の紙カートンを開封した状態を示す斜視図である。
【符号の説明】
【００２６】
Ａ  紙カートン
Ｂ  ブランク
ａ〜ｌ  折線
α  ミシン目
１１  糊代フラップ
１２  底面パネル
１２ａ  押切用切れ目線
１３  側面パネル
１４  上面パネル
１５  側面パネル
１６  底面側端面パネル
１６ａ  切開用切れ目線
１６Ａ  糊塗布領域
１７  端面フラップ
１７ａ  分離用切れ目線
１７Ａ  糊塗布領域
１８  上面側端面パネル
１９  端面フラップ
１９ａ  分離用切れ目線
１９Ａ  糊塗布領域
２０  押込部分
２１  破断部分
【図１】
2010052759.tif 000003
【図２】
2010052759.tif 000004
【図３】
2010052759.tif 000005